【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
ｅＮＢと時分割複信（ＴＤＤ）通信しているユーザ機器（ＵＥ）によって実行されるワイヤレス通信の方法であって、
前記ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと
を備える、方法。
【請求項２】
不連続受信（ＤＲＸ）モードに切り替わることと、
ＤＲＸオン期間中に前記ｅＮＢからの制御情報をモニタすることと、ここにおいて、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻ることと
をさらに備え、前記第１のＵＬ−ＤＬ構成は初期ＵＬ−ＤＬ構成である、
請求項１に記載の方法。
【請求項３】
前記ＤＲＸモードから切り替わることと、
前記ｅＮＢとの通信のために使用されることになる新たなＵＬ−ＤＬ構成を決定することと
をさらに備える、請求項２に記載の方法。
【請求項４】
前記新たなＵＬ−ＤＬ構成を決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備え、前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
請求項３に記載の方法。
【請求項５】
前記ＤＲＸモードから前記切り替わることは、
ＤＲＸアクティブ期間中に前記ｅＮＢから制御情報を受信することを備える、
請求項３に記載の方法。
【請求項６】
前記ＤＲＸモードから前記切り替わることは、
データが前記ｅＮＢに送信されることを決定することと、
データが前記ＵＥから送信されるというインジケーションを前記ｅＮＢに送信することと
を備える、請求項３に記載の方法。
【請求項７】
前記基準ＴＤＤ  ＵＬ−ＤＬ構成は、前記第１のＵＬ−ＤＬ構成であり、前記第１のＵＬ−ＤＬ構成は、初期ＵＬ−ＤＬ構成であり、
前記初期ＵＬ−ＤＬ構成は、システム情報ブロックタイプ１（ＳＩＢ１）において受信される、
請求項１に記載の方法。
【請求項８】
前記基準ＴＤＤ  ＵＬ−ＤＬ構成は、前記第１のＵＬ−ＤＬ構成とは異なり、前記第１のＵＬ−ＤＬ構成は初期ＵＬ−ＤＬ構成であり、
前記基準ＴＤＤ  ＵＬ−ＤＬ構成は、前記ＵＥへの無線リソース制御メッセージにおいて受信される、
請求項１に記載の方法。
【請求項９】
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定するための手段と、
前記ｅＮＢとのＴＤＤ通信のために使用されることになる第２のＵＬ−ＤＬ構成に前記第１のＵＬ−ＤＬ構成を変更する、再構成メッセージを受信するための手段と
を備える、装置。
【請求項１０】
不連続受信（ＤＲＸ）モードに切り替わるための手段と、
ＤＲＸオン期間中に前記ｅＮＢからの制御情報をモニタするための手段と、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻るための手段と
をさらに備え、前記第１のＵＬ−ＤＬ構成は、初期ＵＬ−ＤＬ構成である、
請求項９に記載の装置。
【請求項１１】
前記ＤＲＸモードから切り替わるための手段と、
前記ｅＮＢとの通信のために使用されることになる新たなＵＬ−ＤＬ構成を決定するための手段と
をさらに備える、請求項１０に記載の装置。
【請求項１２】
前記新たなＵＬ−ＤＬ構成を決定するための前記手段は、
動的再構成モードへの切り替えインジケーションと、前記切り替えを開始するタイミングとを前記ｅＮＢから受信するための手段と、
後続の無線フレームのための前記新たなＵＬ−ＤＬ構成を受信するための手段と
を備え、前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
請求項１１に記載の装置。
【請求項１３】
前記ＤＲＸモードから切り替わるための前記手段は、
ＤＲＸアクティブ期間中に前記ｅＮＢから制御情報を受信するための手段を備える、
請求項１１に記載の装置。
【請求項１４】
前記ＤＲＸモードから切り替わるための前記手段は、
データが前記ｅＮＢに送信されることを決定するための手段と、
データが前記ＵＥから送信されるというインジケーションを前記ｅＮＢに送信するための手段と
を備える、請求項１１に記載の装置。
【請求項１５】
コンピュータ上で実行されると、請求項１乃至８のいずれか１項のステップを実行する命令を備える、コンピュータプログラム。
【手続補正２】
【補正対象書類名】明細書
【補正対象項目名】００７９
【補正方法】変更
【補正の内容】
【００７９】
[0094]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ｅＮＢと時分割複信（ＴＤＤ）通信しているユーザ機器（ＵＥ）によって実行されるワイヤレス通信の方法であって、
前記ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと
を備える、方法。
［Ｃ２］
不連続受信（ＤＲＸ）モードに切り替わることと、
ＤＲＸオン期間中に前記ｅＮＢからの制御情報をモニタすることと、ここにおいて、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻ることと
をさらに備え、前記第１のＵＬ−ＤＬ構成は初期ＵＬ−ＤＬ構成である、
［Ｃ１］に記載の方法。
［Ｃ３］
前記ＤＲＸモードから切り替わることと、
前記ｅＮＢとの通信のために使用されることになる新たなＵＬ−ＤＬ構成を決定することと
をさらに備える、［Ｃ２］に記載の方法。
［Ｃ４］
前記新たなＵＬ−ＤＬ構成を決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備える、［Ｃ３］に記載の方法。
［Ｃ５］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ４］に記載の方法。
［Ｃ６］
前記ＤＲＸモードから前記切り替わることは、
ＤＲＸアクティブ期間中に前記ｅＮＢから制御情報を受信することを備える、
［Ｃ３］に記載の方法。
［Ｃ７］
前記ＤＲＸモードから前記切り替わることは、
データが前記ｅＮＢに送信されることを決定することと、
データが前記ＵＥから送信されるというインジケーションを前記ｅＮＢに送信することと
を備える、［Ｃ３］に記載の方法。
［Ｃ８］
前記基準ＴＤＤ  ＵＬ−ＤＬ構成は、前記第１のＵＬ−ＤＬ構成であり、前記第１のＵＬ−ＤＬ構成は、初期ＵＬ−ＤＬ構成である、
［Ｃ１］に記載の方法。
［Ｃ９］
前記初期ＵＬ−ＤＬ構成は、システム情報ブロックタイプ１（ＳＩＢ１）において受信される、
［Ｃ８］に記載の方法。
［Ｃ１０］
前記基準ＴＤＤ  ＵＬ−ＤＬ構成は、前記第１のＵＬ−ＤＬ構成とは異なり、前記第１のＵＬ−ＤＬ構成は初期ＵＬ−ＤＬ構成である、
［Ｃ１］に記載の方法。
［Ｃ１１］
前記基準ＴＤＤ  ＵＬ−ＤＬ構成は、前記ＵＥへの無線リソース制御メッセージにおいて受信される、
［Ｃ１０］に記載の方法。
［Ｃ１２］
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定するための手段と、
前記ｅＮＢとのＴＤＤ通信のために使用されることになる第２のＵＬ−ＤＬ構成に前記第１のＵＬ−ＤＬ構成を変更する、再構成メッセージを受信するための手段と
を備える、装置。
［Ｃ１３］
不連続受信（ＤＲＸ）モードに切り替わるための手段と、
ＤＲＸオン期間中に前記ｅＮＢからの制御情報をモニタするための手段と、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻るための手段と
をさらに備え、前記第１のＵＬ−ＤＬ構成は、初期ＵＬ−ＤＬ構成である、
［Ｃ１２］に記載の装置。
［Ｃ１４］
前記ＤＲＸモードから切り替わるための手段と、
前記ｅＮＢとの通信のために使用されることになる新たなＵＬ−ＤＬ構成を決定するための手段と
をさらに備える、［Ｃ１３］に記載の装置。
［Ｃ１５］
前記新たなＵＬ−ＤＬ構成を決定するための前記手段は、
動的再構成モードへの切り替えインジケーションと、前記切り替えを開始するタイミングとを前記ｅＮＢから受信するための手段と、
後続の無線フレームのための前記新たなＵＬ−ＤＬ構成を受信するための手段と
を備える、［Ｃ１４］に記載の装置。
［Ｃ１６］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ１５］に記載の装置。
［Ｃ１７］
前記ＤＲＸモードから切り替わるための前記手段は、
ＤＲＸアクティブ期間中に前記ｅＮＢから制御情報を受信するための手段を備える、
［Ｃ１４］に記載の装置。
［Ｃ１８］
前記ＤＲＸモードから切り替わるための前記手段は、
データが前記ｅＮＢに送信されることを決定するための手段と、
データが前記ＵＥから送信されるというインジケーションを前記ｅＮＢに送信するための手段と
を備える、［Ｃ１４］に記載の装置。
［Ｃ１９］
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと
行うように構成される少なくとも１つのプロセッサを備える、
装置。
［Ｃ２０］
前記少なくとも１つのプロセッサは、
前記ＤＲＸモードから切り替わることと、
前記ｅＮＢとの通信のために使用されることになる新たなＵＬ−ＤＬ構成を決定することと、
不連続受信（ＤＲＸ）モードに切り替わることと、
ＤＲＸオン期間中に前記ｅＮＢからの制御情報をモニタすることと
を行うようにさらに構成され、前記ＤＲＸオン期間の頻度は前記変更されたＵＬ−ＤＬ構成とは関係なく、基準ＴＤＤ  ＵＬ−ＤＬ構成に基づく、
［Ｃ１９］に記載の装置。
［Ｃ２１］
前記少なくとも１つのプロセッサは、
前記ＤＲＸモードから切り替わることと、
前記ｅＮＢと通信するために使用されることになる新たなＵＬ−ＤＬ構成を決定することと
を行うようにさらに構成される、［Ｃ２０］に記載の装置。
［Ｃ２２］
前記新たなＵＬ−ＤＬ構成を前記決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備える、［Ｃ２１］に記載の装置。
［Ｃ２３］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ２２］に記載の装置。
［Ｃ２４］
前記ＤＲＸモードから前記切り替わることは、
ＤＲＸアクティブ期間中に前記ｅＮＢからの制御情報を受信することを備える、
［Ｃ２１］に記載の装置。
［Ｃ２５］
前記ＤＲＸモードから前記切り替わることは、
データが前記ｅＮＢに送信されることを決定することと、
データが前記ＵＥから送信されるというインジケーションを前記ｅＮＢに送信することと
を備える、［Ｃ２１］に記載の装置。
［Ｃ２６］
非一時的コンピュータ可読媒体を備えるコンピュータプログラム製品であって、前記非一時的コンピュータ可読媒体は、
コンピュータに、前記ｅＮＢとのＴＤＤ通信のための第１のアップリンク−ダウンリンク（ＵＬ−ＤＬ）構成を決定させるための命令と、
前記コンピュータに、前記ｅＮＢとのＴＤＤ通信のために使用されることになる第２のＵＬ−ＤＬ構成に前記第１のＵＬ−ＤＬ構成を変更する、再構成メッセージを受信させるための命令と
を備える、コンピュータプログラム製品。
［Ｃ２７］
前記コンピュータ可読媒体は、
前記コンピュータに、不連続受信（ＤＲＸ）モードに切り替えさせるための命令と、
前記コンピュータに、ＤＲＸオン期間中に前記ｅＮＢからの制御情報をモニタさせるための命令と、前記ＤＲＸオン期間の頻度は、前記変更されたＵＬ−ＤＬ構成に関係なく、基準ＴＤＤ  ＵＬ−ＤＬ構成に基づく、
前記コンピュータに、ＤＲＸモードがアクティブであるときに、前記第１のＵＬ−ＤＬ構成に戻らせるための命令と
をさらに備え、前記第１のＵＬ−ＤＬ構成は、初期ＵＬ−ＤＬ構成である、
［Ｃ２６］に記載のコンピュータプログラム製品。
［Ｃ２８］
前記コンピュータ可読媒体は、
前記コンピュータに、前記ＤＲＸモードから切り替えさせるための命令と、
前記コンピュータに、前記ｅＮＢとの通信のために使用されることになる新たなＵＬ−ＤＬ構成を決定させるための命令と
をさらに備える、［Ｃ２７］に記載のコンピュータプログラム製品。
［Ｃ２９］
前記コンピュータ可読媒体は、
前記コンピュータに、動的再構成モードへの切り替えインジケーションと、前記切り替えを開始するタイミングとを前記ｅＮＢから受信させるための命令と、
前記コンピュータに、後続の無線フレームのための前記新たなＵＬ−ＤＬ構成を受信させるための命令と
をさらに備える、［Ｃ２８］に記載のコンピュータプログラム製品。
［Ｃ３０］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ２９］に記載のコンピュータプログラム製品。